(57)【要約】  本発明は、締付帯（１２）が、締付帯（１２）の内径を縮めるクランプ機構（２１）と、長手方向溝部（３１）を埋めるブリッジ部品（３６）と、を含み、ブリッジ部品（３６）は、第１の長手方向溝部側面（３２）から第２の長手方向溝部側面（３３）の方向に延びる。ブリッジ部品（３６）は、締付帯（１２）の内側に設けられて、第１の長手方向溝部側面（３２）から湾曲部を超えて第２の長手方向溝部側面（３３）の方向に延び、湾曲部の長さは、締付帯の内径よりも小さい。湾曲部に延びる離隔部品（４１）が、締付帯（１２）の内側に固定され、離隔部品（４１）の第２の長手方向溝部側面（３３）に面する側のエッジ（４２）は、第２の長手方向溝部側面（３３）から間隔を空けて配置され、離隔部品（４１）のエッジ（４２）は、ブリッジ部品（３６）の自由端（３７）に対する止め具となる。
2015511301.tif 000002
【特許請求の範囲】
【請求項１】
締付帯（１２，５２）を含み、２つのパイプ端部を接続する管継手であって、前記締付帯（１２，５２）は、第１の長手方向溝部側面（３２）、及び前記第１の長手方向溝部側面（３２）から間隔を空けて配置された第２の長手方向溝部側面（３３）を有する長手方向溝部（３１）と、前記締付帯（１２）の内径を縮めるクランプ機構（２１）と、前記長手方向溝部（３１）を塞ぐブリッジ部品（３６，７６）であって、前記締付帯（１２，５２）の内側側面に固定されて、前記第１の長手方向溝部側面（３２）から湾曲部を超えて前記第２の長手方向溝部側面（３３）の方向に延び、前記湾曲部の長さが、前記締付帯（１２，５２）の内径よりも小さい、ブリッジ部品（３６，７６）と、を含み、
湾曲部内に延びる少なくとも一つの離隔部品（４１，８１）が、形状をなぞるように前記締付帯（１２）の内側側面に固定され、
前記第２の長手方向溝部側面（３３）に面する、前記離隔部品（４１，８１）のエッジ（４２，８２）は、この第２の長手方向溝部側面（３３）から所定の距離で配置され、前記離隔部品（４１，８１）の前記エッジ（４２，８２）が、前記ブリッジ部品（３６，７６）の自由端（３７，７７）の止め具となる、管継手。
【請求項２】
前記少なくとも一つの離隔部品（４１，８１）は、剛性材料から作製される、請求項１に記載の管継手。
【請求項３】
前記少なくとも一つの離隔部品（４１，８１）は、前記締付帯（１２，５２）の幅全体に亘って延びる、請求項１又は２に記載の管継手。
【請求項４】
前記少なくとも一つの離隔部品（４１，８１）は、前記ブリッジ部品（３６，７６）の厚さ（Ｃ）に対応する厚さ（Ｄ）、又は前記ブリッジ部品の厚さとは異なる厚さ（Ｄ）を有し、前記ブリッジ部品（４１，８１）の厚さ（Ｄ）は、前記ブリッジ部品（３６，７６）の厚さ（Ｃ）に少なくとも好ましく対応する、請求項１乃至３のいずれか一つに記載の管継手。
【請求項５】
前記少なくとも一つの離隔部品（４１，８１）のエッジ（４２，８２）から前記第２の長手方向溝部側面（３３）までの空間は、２０°から４０°、好ましくは２５°から３５°の角度範囲で広がる、請求項１乃至４のいずれか一つに記載の管継手。
【請求項６】
前記離隔部品（４１，８１）の湾曲部の長さは、前記ブリッジ部品（３６，７６）の湾曲部の長さよりも短い、請求項１乃至５のいずれか一つに記載の管継手。
【請求項７】
前記離隔部品（８１）は、前記第２の長手方向溝部側面に面する側のエッジ（８２）に、前記ブリッジ部品（７６）の自由端（７７）を受ける窪み（８３）を含む、請求項１乃至６のいずれか一つに記載の管継手。
【請求項８】
前記ブリッジ部品（７６）の自由端（７７）における移行領域は、その自由端（７７）に向かって先細に構成される、請求項１乃至７のいずれか一つに記載の管継手。
【請求項９】
前記ブリッジ部品（７６）の内側側面に、少なくとも一つの隆起部（７８）が設けられる、請求項１乃至８のいずれか一つに記載の管継手。
【請求項１０】
前記ブリッジ部品（７６）の内側側面に、複数の隆起部（７８）が設けられる請求項９に記載の管継手。
【請求項１１】
前記少なくとも一つの隆起部（７８）、又は複数の隆起部（７８）は、前記湾曲部に沿って延びる、請求項９又は１０に記載の管継手。
【請求項１２】
前記少なくとも一つの隆起部（７８）、又は複数の各隆起部（７８）は、前記ブリッジ部（７６）の前記湾曲部の方向に伸長部を有し、前記伸長部は、前記ブリッジ部（７６）の湾曲部の方向の伸長部よりも５０％大きい、請求項１１に記載の管継手。
【請求項１３】
前記複数の隆起部（７８）は、互いに平行に延びる、請求項１０乃至１２のいずれか一つに記載の管継手。
【請求項１４】
前記少なくとも一つの隆起部（７８）、又は複数の隆起部（７８）は、前記ブリッジ部品（７６）の少なくとも一つのエッジから間隔を空けて配置される、請求項９乃至１３のいずれか一つに記載の管継手。
【請求項１５】
前記少なくとも一つの隆起部（７８）、又は複数の隆起部（７８）は、ビードとして構成され、前記ビードの後面は、前記ブリッジ部品（７６）の内側側面から間隔を空けて位置し、且つ、前記管継手（５１）の内部に面して位置する、請求項９乃至１４のいずれか一つに記載の管継手。
【発明の詳細な説明】
【技術分野】
【０００１】
本発明は、請求項１の前文に係る管継手に関する。
【背景技術】
【０００２】
管継手は、互いに向き合う２つのパイプ端部を接続するために用いられる。このような管継手は、パイプクランプ又はテンションクランプとも呼ばれる。形成した接続部の締りを確保するために、例えば、シーリングインサートが設けられ、このシーリングインサートは、２つのパイプ端部の外周を取り囲み、締結された締付帯を利用して所望の位置に保持される。これらのシーリングインサートは、管継手の構成要素であり得る。
【０００３】
国際公開第２００５／０３８１５２号により周知の管継手は締付帯を含み、この締付帯は、パイプの端部の周りに配置され、その端部において、径方向外側に突出する接続区画を含む。接続区画の屈曲部により、第１の長手方向溝部側面と、その第１の長手方向溝部側面から間隔を空けて配置される第２の長手方向溝部側面とを有する長手方向溝部が画定される。ネジ／ナット構成が、締付帯の内径を縮めるクランプ機構として設けられ、このネジは、接続区画の穴に通される。長手方向溝部を塞ぐ個別のブリッジ部品も設けられ、ブリッジ部品の厚さは、自由端の方向に薄くなる。このブリッジ部品の平坦な端部領域は、管継手の締結中に、締付帯の内側側面とシーリングインサートの間に進入するが、その際に、締付帯の内側側面に隣接して位置するシーリングインサートは、接続区画においてブリッジ部品によって持ち上げられる。
【０００４】
前述した解決策の欠点は、個別の構成要素として構成されたブリッジ部品が、適切な固定手段を持たない管継手の組み立て中に紛失する可能性があること、若しくは、管継手の取り扱いが困難であること、又は、その両方である。また、このブリッジ部品は、追加の製造費用を必要とし、管継手の組立費を増大させる。このような管継手は、大量生産品であるため、追加の費用は、特に、製造の収益性という点でかなり大きな欠点である。シーリングインサートの材料特性を考慮すると、このシーリングインサートは、締付帯の内側側面に付着する傾向があるため、前述したようなブリッジ部品を用いたとしても、管継手の締結中にシーリングインサートを損傷する可能性がある。
【０００５】
米国特許第４，６６４，４２８号の実施形態例において、ブリッジ部品は、締付帯の自由端によって構成される。弾性シーリング部品が締付帯の端部に設けられる。これと類似した管継手が、ドイツ特許出願公開第３８４３７３８号に記載されている。
【０００６】
前述の解決策の欠点は、弾性シーリング部品がブリッジ部品の上に配置されており、管継手が板状のシーリングインサートの周りに係合する場合に、管継手の締結中に、管継手がシーリングインサートを曲げる、又は位置ずれさせる可能性があり、その結果、締付け状態が損なわれることである。
【０００７】
前述の米国特許第４，６６４，４２８号には代替実施形態も示されている。この代替実施形態では、締付帯の内側において長手方向溝部から間隔を空けて位置する複数の個別のシーリング部品が設けられ、これらのシーリング部品は、締付帯の対応する各側面エッジから離れて位置し、締付帯の幅の大部分に亘って延びる。長手方向溝部をブリッジするため、個別のブリッジ部品が設けられ、このブリッジ部品は、管継手が固定された状態において、内側に設けられた一方のシーリング部品から、他方のシーリング部品まで延びる。
【０００８】
この解決策の欠点は、ブリッジ部品が個別の構成要素として構成されることであり、この解決策は、国際公開第２００５／０３８１５２号に記載されたブリッジ部品と基本的に同じ欠点を有する。
【０００９】
米国特許第４，３６５，３９３号において、クランプ機構の締付けボルトを収容するループの領域に、径方向内側に開口する凹部を形成することが提案されている。この凹部において、ブリッジ部品は、管継手が固定された状態において、締付帯の内側に設けられた板状のシーリングインサートの外側に位置する。
【００１０】
この解決策の欠点は、凹部を作製する追加の製造関連費用を別にすると、ブリッジ部品がここでも個別の構成要素として構成されるため、これに関して上記で説明した欠点が同様に生じる。
【００１１】
欧州特許第１７６７８４２号には、２つのパイプ端部を接続する管継手において、シーリングインサートとして機能する、周方向が閉じた弾性リングを用いて、多区画ハウジングを一つに纏めて保持することが提案されている。このハウジングは、外側に位置する個別の締付帯を用いて締め付けられる。ハウジング区画の外側に複数の突起が設けられ、これらの突起の間に締付帯が案内される。締付帯は、ハウジングの周りで自由に回転することができる。継手が完全にクランプされた状態において、全てのハウジング区画は、互いに隣り合って整列して、閉じたリングを形成する。
【００１２】
この解決策の欠点は、管継手が複数の個別の構成要素を含むことである。また、接続されるパイプ端部を弾性リング内にねじ込む必要があり、このねじ込みは、特に、管継手の組立時に狭いスペースしかない場合には、不可能と言ってもよいほど困難である。締付帯に加えてハウジング区画が外周全体に延びるため、この継手を作製するためには大量の材料が必要になる。これにより製造コストが上昇する。このことは、このような管継手が該当する大量生産製品の場合の大きな欠点である。
【００１３】
米国特許出願公開第２００５／０１８９７６８号から知られる管継手は、外部締付帯に加え、外周全体に延びるスリット付き内側スリーブを含む。互いにもたれ合う内側スリーブの自由端に、連結区画が設けられる。締結帯及び内側スリーブには、互いに重なるように形成できる開口部が設けられ、この開口部に、パイプのパイプ端部領域に設けられるボルトの区画が収容される。
【００１４】
上記の解決策は、個別の構成要素として形成された内側スリーブが外周全体に延びるため、管継手が、欧州特許第１７６７８４２号に開示された管継手と基本的に同様の欠点を有する。
【００１５】
欧州特許第１６４７７５５号には、外側に突出するパイプフランジがそれぞれ設けられた２つのパイプ端を接続する管継手として特殊輪郭（profile）クランプが示されている。この特殊輪郭クランプは、第１の長手方向溝部側面と、第１の長手方向溝部側面から間隔を空けて位置する第２の長手方向溝部側面とを備える長手方向溝部を含む締結帯、及び締付帯の内径を縮めるクランプ機構を含む。締結帯には、締結帯の周方向に互いに前後に延びる複数の特殊輪郭区画が設けられ、この特殊輪郭区画は、断面がトラフ状に形成されてパイプフランジを収容する。個々の特殊輪郭区画の間の間隙には、締結帯から所定の距離で延びる、バネで付勢された金属細片がそれぞれ配設されており、当初は偏心していたパイプフランジ付きパイプを、特殊輪郭クランプの締結時に、自動的に心合わせするようになっている。
【００１６】
上記の解決策の欠点は、管継手が、多くの材料を必要とする複数の構成要素を含み、フランジに合わせて構成されたパイプ端部の接続部のみに対応するように設計されている点である。
【先行技術文献】
【特許文献】
【００１７】
【特許文献１】国際公開第２００５／０３８１５２号
【特許文献２】米国特許第４，６６４，４２８号明細書
【特許文献３】ドイツ特許出願公開第３８４３７３８号明細書
【特許文献４】米国特許第４，３６５，３９３号明細書
【特許文献５】欧州特許第１７６７８４２号明細書
【特許文献６】米国特許出願公開第２００５／０１８９７６８号明細書
【特許文献７】欧州特許第１６４７７５５号明細書
【発明の概要】
【発明が解決しようとする課題】
【００１８】
したがって、本発明の課題は、前述した欠点がなく、特に、製造及び組立が容易である管継手を提供することである。管継手の内側に位置するシーリングインサートに対する、管継手の締結中の損傷が防止されると共に、形成された管継手の十分な締り特性が保証される。
【課題を解決するための手段】
【００１９】
この課題は、独立請求項の特徴によって解決される。有利な発展形は、図面及び従属請求項に示されている。
【００２０】
本発明によれば、ブリッジ部品が締付帯に固定され、湾曲部に延びる少なくとも一つの離隔部品が、締結帯の内側側面に固定される。第２の長手方向溝部側面に面する離隔部品のエッジは、この第２の長手方向溝部側面から一定の距離で配置され、離隔部品のこのエッジが、ブリッジ部品の自由端の止め具となる。
【００２１】
締付帯に設けられたブリッジ部品は、個別の構成要素として構成されて締付帯に固定されても、又は、締付帯自体の対応する端部によって構成されてもよい。これによりブリッジ部品は、留め方式で締付帯に設けられ、どのような形式であっても管継手の組み立ての邪魔になることがない。
【００２２】
少なくとも一つの離隔部品は、個別の部品であると有利である。これに代えて、少なくとも一つの離隔部品は、締付帯の内側側面から突出する、締付帯の隆起部又は突起によって構成される。
【００２３】
少なくとも一つの離隔部品は、第２の長手方向溝部側面の方向において、シーリングインサートと締付帯の内側側面との間に、ブリッジ部品の自由端のための空きスペースを提供し、前述の自由端は、この空きスペース内に、管継手の締結中に進入することができる。したがって、ブリッジ部品の自由端は、シーリングインサートの外面の外側に位置し、シーリングインサートを望ましくない方式で変位させたり、又は損傷したりすることがない。特に、内径の大きい管継手の場合には、締付帯上で互いに間隔を空けて配置されると有利である複数の離隔部品の構成は、管継手内に存在するシーリングインサートの有利な姿勢を保つことについて有利であり得る。
【００２４】
この管継手は、使用するシーリングインサートの性質とは無関係であるため、シーリングインサートは、必要な範囲条件に従って、必要に応じて選択して配置することができる。
【００２５】
第２の機能において、少なくとも一つの離隔部品は、ブリッジ部品の自由端の止め具として機能し、これにより、組立中に管継手を過剰に締め付けることを防ぐ。この止め具の機能は、特に、プラスチック管の場合、管継手の過剰な締め付けにより、端部領域においてプラスチック管に望ましくない変形が生じる可能性があるため、プラスチック管において特に有利である。
【００２６】
少なくとも一つの離隔部品は、剛性材料、例えば、金属薄板やプラスチックで作製されると好ましく、これにより、ブリッジ部品の自由端に、十分な大きさの所望の空きスペースが連続して確保され、換言すると、基本的に少なくとも一つの離隔部品に対するすべての荷重において、確保される。
【００２７】
少なくとも一つの離隔部品は、締付帯の幅全体に亘って延びると好ましく、これにより、ブリッジ部品の自由端のための十分な大きさの所望の空きスペースが、締付帯の周方向だけでなく、締付帯に直角の方向にも確保される。
【００２８】
少なくとも一つの離隔部品は、ブリッジ部品の厚さに一致する厚さを有する。この寸法も、ブリッジ部品の自由端のための十分な大きさの所望の空きスペースを確保することに寄与する。
【００２９】
代替の実施形態において、離隔部品は、ブリッジ部品とは異なる厚さを有する。ただし、ブリッジ部品の自由端のために十分な大きさの空きスペースを形成するために、離隔部品の厚さは、ブリッジ部品の厚さに少なくとも対応すると好ましい。
【００３０】
少なくとも一つの離隔部品のエッジから第２の長手方向溝部側面までの距離は、２０°から４０°、好ましくは、２５°から３５°の角度範囲であると好ましく、これにより、ブリッジ部品の自由端を収容する十分な大きさの空きスペースが生じる。
【００３１】
少なくとも一つの離隔部品は、形状をなぞるように、締付帯の内側側面に固定され、これにより、少なくとも一つの離隔部品は、締付帯上の所望の位置に確実に保持される。例えば、少なくとも一つの離隔部品は、接着剤、若しくは、はんだを用いて、又は溶接によって締付帯の内側側面に固定される。更に他の代替実施形態において、少なくとも一つの離隔部品は、接続手段、例えば、少なくとも一つのリベット又はクリップによって締付帯の内側側面に固定される。
【００３２】
ブリッジ部品の自由端の移行領域は、その自由端に向かって先細に構成されると好ましく、これにより、形成された空きスペースに進入するシーリング部品、又はパイプ壁面の一部によって、管継手の締め付け処理が妨害されることがない。
【００３３】
少なくとも一つの隆起部が、ブリッジ部品の内側側面に設けられると好ましく、この隆起部は、パイプ端部に管継手を配置した後、管継手がまだ締め付けられていない状態において、シーリング部品又はパイプ壁面の外側に接触して位置すると有利である。これにより、ブリッジ部品とシーリング部品の外面又はパイプ外壁の外面との間の接触領域、ひい  てはその摩擦領域が縮小し、その結果、管継手の締め付けがより容易になる。
【００３４】
複数の隆起部が、ブリッジ部品の内側側面に設けられると好ましく、これにより、ブリッジ部品の平坦部の間隔が均一になり、ひいては、ブリッジ部品の接触部が大きくなって、締め付けを妨害すること、又は少なくとも締め付けに影響を与えることが回避される。
【００３５】
少なくとも一つの隆起部、又は複数の隆起部は、湾曲部に沿って延びると好ましく、この隆起部は、管継手の締結中に、シーリング部品の外面又はパイプ外壁の外側に沿って滑る。特に、少なくとも一つの隆起部又は複数の隆起部を有する本実施形態の場合、ブリッジ部品の自由端に面する対応する隆起部の側面は、傾斜又は斜面形状の形態を有する。
【００３６】
少なくとも一つの隆起部、又は複数の各隆起部は、湾曲部の方向に伸長部を有し、この伸長部は、ブリッジ部品の湾曲部の方向の伸長部の５０％よりも大きい。ここで説明したタイプの管継手は、各種の管径に利用される。前述した有利な実施形態により、管継手が大きい管径範囲を有する場合であっても、シーリング部品の外面又はパイプ外壁の外側におけるブリッジ部品の接触部が限定され、ひいては、管継手のまっすぐな締め付けが保証される。
【００３７】
ブリッジ部品が複数の隆起部を備える場合、隆起部は、互いに平行に延びると好ましく、これにより、このような管継手の固定が容易になる。湾曲部の方向に延びる隆起部の場合、平行な配置により、例えば、シーリング部品又はパイプ外壁の材料を押しつぶして、管継手の締め付けを阻害することが防止されるため、この平行な配置は特に有利である。
【００３８】
少なくとも一つの隆起部又は複数の隆起部は、ブリッジ部品の少なくとも一つのエッジから間隔を空けて配置されると好ましく、ブリッジ部品の複数のエッジから離れて配置されると有利であり、ブリッジ部品の全てのエッジから離れていると特に有利である。
【００３９】
少なくとも一つの隆起部又は複数の隆起部は、ビードとして構成され、このビードの後面は、ブリッジ部品の内側側面から離れて位置し、管継手の内側に面して位置する。これにより、ブリッジ部品、ひいては管継手全体を、容易に、且つ費用効率よく作製することができる。
【００４０】
本発明の更に他の利点、特徴、及び詳細内容は、下記の説明から明らかになり、下記では、本発明の実施形態の例が、図面を参照しながら説明される。請求項及び明細書に記載した特徴は、本発明にそれぞれ個別に必要なものであっても、又は各特徴の組み合わせとして必要なものであってよい。
【００４１】
参照番号のリストは、本開示の構成部品を示したものである。図面は、相互に関連付けられた包括的な方式で記載される。同一の参照番号は同一の構成要素を表す。
【図面の簡単な説明】
【００４２】
【図１】本発明に係る管継手を組み立てた状態で示す側面図である。
【図２】図１の管継手を示す斜視図である。
【図３】本発明に係る管継手の変形例を組み立てた状態で示す側面図である。
【図４】図３の管継手を示す斜視図である。
【発明を実施するための形態】
【００４３】
図１及び図２に、２つのパイプ端部を接続する管継手１１を示す。管継手１１は、金属薄板片から作製される締付帯１２を含む。締付帯１２の自由端１３及び１４は、締付帯１２の中心領域において互いに直接隣り合った位置で、２つのリベット１５を用いて締付帯１２にそれぞれ固定される。これにより、締付帯１２は二重の層に構成され、締付帯１２の合致する部位は、略半円形領域において互いに密接して重なり合う。これに代えて、締付帯１２の自由端１３及び１４は、互いに間隔を空けて配置されてもよく、この場合、締付帯１２は、これらの自由端１３及び１４の間の領域において単一の層のみになる。
【００４４】
ループ１６及び１８が締付帯１２の屈曲領域に形成され、この各ループは、締付けボルト２３，２４をそれぞれ収容する。ループ１６は、締付帯１２の長手方向伸長部に延びるスロット１７を含む。ループ１８は、締付帯１２の長手方向伸長部に延びるスロット１９を含む。締付けネジ２２のための貫通穴２５が締付けボルト２４に設けられ、締付けネジ２２のための雌ネジ穴２６が、締付けボルト２３に設けられる。締付けネジ２２は、ループ１６及び１８のスロット１７及び１９をそれぞれ貫通する。締付けネジ２２と締付けボルト２３，２４とで、締付帯１２の内径を縮めるクランプ機構２１を形成する。
【００４５】
ループ１６と１８の間に長手方向溝部３１が構成される。長手方向溝部３１は、第１の長手方向溝部側面３２を含み、この第１の長手方向溝部側面３２は、本実施形態例において、ループ１６の外向きの屈曲部によって形成されるエッジによって画定される。長手方向溝部３１は、第２の長手方向溝部側面３３も含み、この第２の長手方向溝部側面３３は、第１の長手方向溝部側面３２から間隔を空けて位置し、本実施形態例において、ループ１８の外向きの屈曲部によって形成されるエッジによって画定される。
【００４６】
長手方向溝部３１を埋めるブリッジ部品３６も、例えば、はんだ付け又は溶接によって、締付帯１２の内側側面に固定される。ブリッジ部品３６は、湾曲部に延び、第１の長手方向溝部側面３２から、両方の周方向、ひいては第２の長手方向溝部側面３３の方向にも延びる。湾曲部の長さは、締付帯１２の内周よりも小さい。ブリッジ部品３６は、第２の長手方向溝部側面３３の方向を向いた自由端３７を含む。
【００４７】
締付帯１２の内側側面には、湾曲部内に延び、形状をなぞるように締付帯１２の内側側面に固定される離隔部品４１も設けられ、離隔部品４１のエッジ４２は、第２の長手方向溝部側面３３の方を向いており、この第２の長手方向溝部側面３３から所定の距離で位置する。離隔部品４１のエッジ４２は、ブリッジ部品３６の自由端３７に対する止め具となる。離隔部品４１は、剛性材料から作製され、締付帯１２の幅全体に延びる。離隔部品４１は、ブリッジ部品３６の厚さＣと一致する厚さＤを有する。代替例において、離隔部品４１の厚さＤは、ブリッジ部品３６の厚さＣと異なっていてもよいが、その場合、離隔部品４１の厚さＤは、ブリッジ部品３６の厚さＣよりも大きいと有利である。離隔部品４１のエッジ４２から第２の長手方向溝部側面３３までの間隔は、２０°から４０°、好ましくは、２５°から３５°の角度範囲αである。
【００４８】
パイプクランプによって接続されるパイプ（図１には、パイプ６のみを図示）は、互いに整列される。板状のシーリングインサート７が、パイプ端部の当接点のまわりに配置される。シーリングインサート７は、その自由端８及び９が、管継手１１を締結した状態において互いに近接して位置する寸法に構成されると有利である。そして、管継手１１は、開状態のクランプ機構２１を用いて、パイプ端部の当接点の周りに配置され、この配置のために、ループ１６及び１８は互いから引き離される。締付帯１２が適切に位置合わせされた後、締付けネジ２２が、締付けボルト２４の貫通穴２５に通されて、締付けボルト２３内のネジ穴にねじ込まれる。管継手は、締付けネジ２２の更なるねじ込みによって締付けられて、締付帯１２の内径が小さくなる。ブリッジ部品３６の自由端３７は、離隔部品４１によって形成された、第２の長手方向溝部側面３３と離隔部品４１のエッジ４２との間に存在する空間の中に進入するため、シーリングインサート７の損傷や変位を生じることがない。
【００４９】
変形例において、シーリングインサート７は、管継手１１の構成要素であり、その結果、シーリングインサート７は、管継手１１が所定の位置に配置されると同時に、組み込まれる。
【００５０】
図３及び図４に、本発明に係る、２つのパイプ端部を接続する管継手５１の更なる実施形態を示す。ブリッジ部品７６の実施形態を除き、管継手５１は、前述した管継手１１と基本的に同様に構成される。したがって、同様の構成については、以前の実施形態を参照されたい。
【００５１】
締付帯５２の内側に固定された、長手方向溝部を塞ぐブリッジ部品７６は、第２の長手方向溝部側面３３の方向を向いた自由端７７を含む。ブリッジ部品７６の自由端７７における移行領域は、当該自由端に向かって先細に構成される。
【００５２】
複数、例えば、本例における３つの隆起部７８が、ブリッジ部品７６の内側側面に設けられる。これらの隆起部７８は、湾曲部に沿って互いに平行に延びる。各隆起部７８は、ブリッジ部品７６の湾曲部の方向に伸長部を有し、この伸長部は、ブリッジ部品７６の湾曲部の方向の伸長部の５０％よりも大きい。２つの各外側隆起部７８は、ブリッジ部品７６の側面エッジから間隔を空けて配置され、３つの全隆起部７８は、ブリッジ部品７６の自由端７７からも間隔を空けて配置される。各隆起部７８は、ビードとして構成される。このビードの後面は、ブリッジ部品７６の内側側面から間隔を空けて構成されて、管継手５１の内部に面する。
【００５３】
第２の長手方向溝部側面に面する離隔部品８１のエッジ８２は、ブリッジ部品７６の自由端７７の止め具となる。ブリッジ部品７６の自由端７７を収容する窪み８３（点線で示す）を、離隔部品８１のエッジ８２に設けることができる。
【符号の説明】
【００５４】
６  パイプ、７  シーリングインサート、８，９，１３，１４，３７，７７  自由端、１１，５１  管継手、１２，５２  締付帯、１５  リベット、１６，１８  ループ、１７，１９  スロット、２１  クランプ機構、２２  締付けネジ、２３，２４  締付けボルト、２５  貫通穴、２６  ネジ穴、３１  長手方向溝部、３２  第１の長手方向溝部側面、３３  第２の長手方向溝部側面、３６，７６  ブリッジ部品、４１，８１  離隔部品、４２，８２  エッジ、７８  隆起部、８３  窪み。
【図１】
2015511301.tif 000003
【図２】
2015511301.tif 000004
【図３】
2015511301.tif 000005
【図４】
2015511301.tif 000006
【国際調査報告】
2015511301.tif 000007
2015511301.tif 000008
2015511301.tif 000009
2015511301.tif 000010
2015511301.tif 000011
2015511301.tif 000012